(57)【要約】  取り付けクリップは、第２の羽目板の一部と重なるように第１の羽目板を壁に位置決めし、取り付ける助けとなるように設計される。取り付けクリップは、取り付けクリップを第２の羽目板に吊す吊り具を有する。取り付けクリップはまた棚部を有する。棚部は、第１の羽目板が第２の羽目板に重なるように第１の羽目板を位置決めする。取り付けクリップにより、単独の取付者が正確にかつ効率的に羽目板を取り付けることができるようになる。取り付けクリップのベースは、クリップが次の羽目板によって覆われることになる領域を特定するので、壁に釘留めすることができる羽目板の部分を特定するガイドとして使用することができる。壁と羽目板の間のエアーギャップが取り付けクリップによって形成され、湿気が閉じ込められるのを防止する。【特許請求の範囲】
【請求項１】
第２の羽目板の一部に重なるように第１の羽目板を壁に位置決めし、取り付けるのを助ける取り付けクリップであって、
上端部と底端部との間に延在するベースと、
前記取り付けクリップを第２の羽目板に吊すために、前記ベースの前記上端部に固定して取り付けられた吊り具と、
第１の羽目板の一部が第２の羽目板に重なるように第１の羽目板を位置決めするために、前記ベースの前記底端部に固定して取り付けられた棚部とを有する取り付けクリップ。
【請求項２】
前記第１の羽目板を壁に固定する際に前記ベースおよび前記棚部を取り除く助けのために、前記棚部に固定して取り付けられた除去タブを有する請求項１に記載の取り付けクリップ。
【請求項３】
取り付けクリップを第２の羽目板に固定するために、前記吊り具から延びた固定タブを有する請求項２に記載の取り付けクリップ。
【請求項４】
前記吊り具は、第１の羽目板を壁に取り付けた後に、前記吊り具から前記ベースを取り除くことを容易にするために、前記ベースに隣接して配置された逃げ部を有する請求項３に記載の取り付けクリップ。
【請求項５】
第１の羽目板を第２の羽目板に対して傾けるために、前記ベースから延びたスペーサを有する請求項４に記載の取り付けクリップ。
【請求項６】
第１の羽目板を前記棚部に保持するために、前記棚部に固定して取り付けられた保持タブを有する請求項５に記載の取り付けクリップ。
【請求項７】
前記保持タブは先端部へ延びる請求項６に記載の取り付けアセンブリ。
【請求項８】
前記先端部は、外側に、前記ベースから離れる方向に曲がる請求項７に記載の取り付けアセンブリ。
【請求項９】
前記ベース、前記固定タブ、および前記保持タブは、互いに対して実質的に平行である請求項７に記載の取り付けアセンブリ。
【請求項１０】
前記吊り具および前記棚部は、互いに対して平行である請求項９に記載の取り付けアセンブリ。
【請求項１１】
前記棚部および前記ベースは、互いに対して垂直である請求項１０に記載の取り付けアセンブリ。
【請求項１２】
第２の羽目板の一部に重なるように第１の羽目板を壁に位置決めし、取り付けるのを助ける取り付けクリップであって、
上端部と底端部との間に延在するベースと、
前記取り付けクリップを第２の羽目板に吊すために、前記ベースの前記上端部に固定して取り付けられた吊り具であって、前記第１の羽目板を壁に取り付けた後で、前記吊り具から前記ベースを取り除くのを容易にするための前記ベースに隣接して配置された逃げ部を有する吊り具と、
第１の羽目板の一部が第２の羽目板に重なるように第１の羽目板を位置決めするために、前記ベースの前記底端部に固定して取り付けられた棚部とを有する取り付けクリップ。
【請求項１３】
前記第１の羽目板を壁に取り付ける際に前記ベースと前記棚を取り除くのを助けるために、前記棚部に固定して取り付けられた除去タブを有する請求項１２に記載の取り付けクリップ。
【請求項１４】
第１の羽目板を第２の羽目板に対して傾けるために、前記ベースから突出したスペーサを有する請求項１３に記載の取り付けクリップ。
【請求項１５】
第１の羽目板を前記棚部に保持するために、棚部に固定して取り付けられた保持タブを有する請求項１４に記載の取り付けクリップ。
【請求項１６】
第２の羽目板の一部に重なるように第１の羽目板を壁に位置決めし、取り付けるのを助ける取り付けクリップであって、
上端部と底端部との間に延在するベースと、
前記取り付けクリップを第２の羽目板に吊すために、前記ベースの前記上端部に固定して取り付けられた吊り具と、
第１の羽目板の一部が第２の羽目板に重なるように第１の羽目板を位置決めするために、前記ベースの前記底端部に固定して取り付けられた棚部と、
第１の羽目板を第２の羽目板に対して傾けるために、前記ベースから突出したスペーサとを有する取り付けクリップ。
【請求項１７】
第１の羽目板を壁に固定する際に前記ベースと前記棚部を取り除くのを助けるために、前記棚部に固定して取り付けられた除去タブを有する請求項１６に記載の取り付けクリップ。
【請求項１８】
取り付けクリップを第２の羽目板に固定するために、前記吊り具から延びた固定タブを有する請求項１７に記載の取り付けクリップ。
【請求項１９】
第１の羽目板を前記棚部に保持するために、前記棚部に固定して取り付けられた保持タブを有する請求項１８に記載の取り付けクリップ。
【請求項２０】
第１の羽目板を前記棚部に保持するために、前記棚部に固定して取り付けられた保持タブを有する請求項１９に記載の取り付けクリップ。
【発明の詳細な説明】
【技術分野】
【０００１】
本特許出願は、２００４年３月２７日出願の米国特許仮出願第６０／５７５，０７７号に対して優先権を主張するものである。
【０００２】
本発明は、建物の建築を容易にするために使用される装置に関する。より具体的には、本発明は、建物の壁の羽目板を容易に位置決めし、取り付けることができるようにするために使用されるクリップに関する。
【背景技術】
【０００３】
羽目板を建物の壁に取り付ける仕事は、労働集約的な仕事である。通常、羽目板を効率的に切断し、壁に位置決めして固定するのに、３人構成のチームが必要とされる。１人が羽目板を切断し、他の２人が１つの羽目板の両側に立って、羽目板を位置決めし、固定することができるように３人のチームが必要とされる。一方の端部が固定されると、他方を固定点の周りに回動して、第２の端部を固定する前に羽目板片が確実に水平になるようにする。これ以降、そのやり方で羽目板が断続的に固定される。これは間違いなく長時間を要する、労働集約的なやり方である。
【０００４】
１９７９年８月１４日に登録の、シックラによる米国特許第４，１６４，６４６号（特許文献１）では、重ね羽目板具を開示している（本明細書で論じる羽目板は、セメント、木材などを含む任意の材料から製造した羽目板を含む）。重ね羽目板具は一般にＵ字形状とされ、羽目板片の裏に延在して羽目板片を別の羽目板片に対して位置決めする。羽目板が所定の位置に固定されると、この工具は除去され、再利用される。この参考文献における重ね羽目板具の設計は、多くの点で不完全である。第１に、これらの工具は、製造するのに費用がかかるために再利用されなければならない。第２に、重ね羽目板具を羽目板片に固定する方法がない。風が強いと、あるいは所定の位置で誤って工具に一度ぶつかると、これらの工具は簡単に落ちてしまう。第３に、その工具は、ある態様で取り外さなくてはならず、それによって、壁に沿った、羽目板の連続した取り付けが遅れることになる。
【特許文献１】米国特許第４，１６４，６４６号
【発明の開示】
【課題を解決するための手段】
【０００５】
取り付けクリップは、第１の羽目板を壁に位置決めし、取り付ける助けとなるように設計されており、第１の羽目板は、第２の羽目板の一部に重なる。取り付けクリップは、上部と底部との間に延在するベースを有する。取り付けクリップは、また、ベースの上端部に固定して取り付けられた吊り具を有する。この吊り具は、取り付けクリップを第２の羽目板に吊す。取り付けクリップは、また、ベースの底端部に固定して取り付けられた棚部を有する。この棚部は、位置決めと取り付けとを行う場合に、第１の羽目板の一部が第２の羽目板に重なるように第１の羽目板を位置決めする。
【発明を実施するための最良の形態】
【０００６】
添付の図面と関連させて熟考する場合に、以下の詳細な説明を参照して本発明がよりよく理解されてくると、本発明の利点が容易に分かるであろう。
【０００７】
図１および図２を参照すると、取り付けクリップは全体として符号１０で示されている。取り付けクリップ１０は、第２の羽目板１４に対して第１の羽目板１２を位置決めし、取り付けるのを容易にするために使用される（第１の羽目板１２と第２の羽目板１４の関係は相対的なものである。第１の羽目板１２が固定されると、その第１の羽目板は、別の羽目板がそれに対して固定される第２の羽目板になる）。第１の羽目板１２は第２の羽目板１４に重なって建物１８の壁１６を覆う。残りの羽目板１９はすべて壁１６に固定されている。取り付けクリップ１０を使用する場合、第２の羽目板１４が壁１６に固定して取り付けられることが企図される。第２の羽目板１４は、取り付けクリップ１０がその前は第２の羽目板１４を固定するために使用されたという点で、その取り付けクリップ１０に対してかつては第１の羽目板１２であったとすることができる。
【０００８】
図３から図５を参照すると、取り付けクリップ１０は、上端部２２と底端部２４との間に延在するベース２０を有する。ベース２０は、内側面２６および外側面２８を規定し、内側面および外側面は、壁１６に対するそれらの関係で定義される。ベース２０は、また、外側面２８から垂直に突出するスペーサ３０を有する。スペーサ３０は、ベース２０の平面に交差する平面に延びる当接面３２によって、第１の羽目板１２を第２の羽目板１４に対して傾ける。
【０００９】
取り付けクリップ１０は、また、吊り具３４を有する。吊り具３４は、ベース２０の上端部２２に固定して取り付けられている。吊り具３４は、取り付けクリップ１０を第２の羽目板１４に、特に第２の羽目板１４の上面３６に吊す。吊り具３４は、ベース２０に対して垂直方向内側に延びている。吊り具３４の長さは、ほぼ第２の羽目板１４の上面３６の奥行きとされる。取り付けクリップ１０は、それらが固定されている羽目板１２、１４に対して寸法が小さくなるように設計されている。様々な寸法の羽目板１２、１４との適合性を満たすために、取り付けクリップ１０の寸法を変えることは、本明細書に開示の概念から逸脱するものではないことを当業者は理解すべきである。取り付けクリップ１０はまた、吊り具３４に固定して取り付けられた固定タブ３８を有する。固定タブ３８は、取り付けクリップ１０を第２の羽目板１４に固定する。固定タブ３８は、吊り具３４の内側端部４０から下方に、およそ垂直に延びている。したがって、固定タブ３８とベース２０とは、互いに対して概略的に平行である。固定タブ３８は、ベース２０より短い。
【００１０】
取り付けクリップ１０間で寸法は同じなので、羽目板１２、１４、１９の取り付け精度は、これまで先行技術の方法を使用して得られたよりもはるかに正確である。さらに、取り付けクリップ１０を使用することで、取り付けを完了するための工数が大幅に削減される。
【００１１】
取り付けクリップ１０はまた、棚部４２を有する。棚部４２は、ベース２０の底端部２４に固定して取り付けられている。棚部４２は、第１の羽目板１２の一部が第２の羽目板１４に重なるように第１の羽目板１２を位置決めする。棚４２は、第１の羽目板１２の底面４４を受けるように設計されている。棚部４２から上方外側に保持タブ４６が延びている。保持タブ４６は、第１の羽目板１２を棚部４２に固定する。保持タブ４６は、丸みが付けられ、保持タブ４６の主要部よりもさらに外側に延びる先端部４８を有する。
【００１２】
再度吊り具３４に注目すると、吊り具は、ベース２０の上端部２２に隣接して配置された逃げ部５０を有する。逃げ部５０は、第１の羽目板１２を壁１６に取り付けた後で、ベース２０を吊り具３４から除去するのを容易にする。逃げ部５０は、使用者５２が吊り具３４からベース２０および棚部４２を折って切り離すことができるように設計されており、第１の羽目板を壁１６に固定した後で取り付けクリップ１０全体を取り外す必要がなくなる。これは、壁１６に羽目板を取り付ける時間を短縮する。
【００１３】
第１の羽目板１２を壁１６に取り付けた後で、使用者５２がベース２０および棚部４２を取り付けクリップ１０から取り除くのを容易にするために、除去タブ５４が棚部４２に固定して取り付けられている。除去タブ５４は、第１の羽目板１２を壁１６に固定したときに、ベース２０および棚部４２を取り除くのを助ける。除去タブ５４は、除去タブ５４を貫通する穴５６を有する。図６Ａおよび図６Ｂを参照すると、手工具５８を使用することができ、その場合に、工具先端部６０がその穴５６に挿入され、工具先端部６０が穴５６の内部にある状態で手工具をねじると、ベース２０および棚部４２を素速く除去することができる。
【００１４】
各図から分かるように、ベース２０、固定タブ３８、および保持タブ４６はすべて互いに対して実質的に平行になっている。同様に、吊り具３４と棚部４２も互いに対して実質的に平行になっており、全体としてＺ字形状の取り付けクリップ１０を形成している。これらの空間的な関係は、使用する羽目板のタイプおよび壁を覆うのに使用する羽目板の外形に応じて変えることができることを当業者は理解すべきである。取り付けクリップ１０は、第１の羽目板１２の取り付け中に明瞭に目に見えるので、使用者５２は、どこで第２の羽目板１４を壁１６に釘留めすればよいかをすぐに特定することができる。より具体的には、取り付けクリップ１０のベース２０は、第１の羽目板１２によって覆われる第２の羽目板１４の領域を明瞭に特定する。
【００１５】
羽目板１２、１４で壁１６を覆う場合に取り付けクリップ１０を使用することのさらなる利点は、吊り具３４および固定タブ３８が壁１６と羽目板１２、１４の間に残っていることである。壁１６から羽目板１２、１４を離すことによって、エアーギャップが形成され、そのエアーギャップにより、湿気が幾らかでもある場合に、湿気を除去する助けとなる通気が可能になる。
【００１６】
取り付けクリップ１０は、樹脂材料から作られることが企図されている。製造に使用される材料は、第１の羽目板１２を第２の羽目板１４に対して保持するための支持に耐えることができると同時に、第１の羽目板の壁１６への取り付けが完了した後で、容易に２片に裂かれる任意の硬質材料でよい。
【００１７】
例示の形で本発明を説明した。使用された用語は、限定語ではなく説明語の性質を帯びたものとしたことを理解すべきである。
【００１８】
上記の教示を考慮すれば、本発明に対する多数の修正と変更が可能である。したがって、添付の請求項の範囲内で、具体的に説明されたものとは別に本発明を実施することができる。
【図面の簡単な説明】
【００１９】
【図１】羽目板取り付け者が羽目板を壁に固定する際に本発明を使用している斜視図である。
【図２】本発明を使用して羽目板が固定されている、部分的に切り取った壁の側面図である。
【図３】本発明の１つの実施形態の斜視図である。
【図４】本発明の正面図である。
【図５】本発明の側面図である。
【図６Ａ】作業者が羽目板を壁に固定した後に、工具を使って本発明を取り除いている斜視図である。
【図６Ｂ】作業者が羽目板を壁に固定した後に、工具を使って本発明を取り除いている斜視図である。
【図１】
2008500475.tif 000002
【図２】
2008500475.tif 000003
【図３】
2008500475.tif 000004
【図４】
2008500475.tif 000005
【図５】
2008500475.tif 000006
【図６Ａ】
2008500475.tif 000007
【図６Ｂ】
2008500475.tif 000008
【国際調査報告】
2008500475.tif 000009